(57)【要約】【課題】  腕時計のベゼルを取り外すための工具システムを提供すること。【解決手段】  本発明は、腕時計（２３）の中央部分（２２）に取り付けたベゼル（２０）の周囲に位置するように配置されたベルチャック（１５）を操作するための拡張縮小機構（１７）と協働するように配置された保持体（１６）を備える腕時計のベゼルを取り外すための工具システム（１００）に関する。  前記ベルチャック（１５）内に同軸に取り付けるとともに前記中央部分（２２）に圧入されたガラス（２１）上に位置するように配置され、前記ガラス（２１）に十分な推力を掛けて前記ベルチャック（１５）を前記ガラス（２１）に対して相対的にずらすように構成された推力手段（３０）を備えたことを特徴とする。【選択図】  図１
2011237436.tif 000002
【特許請求の範囲】
【請求項１】
腕時計のベゼルを取り外すための工具システム（１００）であって、
腕時計（２３）の中央部分（２２）に取り付けたベゼル（２０）の周囲に位置するように配置されたベルチャック（１５）を操作するための拡張縮小機構（１７）と協働するように配置された保持体（１６）を備え、
前記ベルチャック（１５）内に同軸に取り付けるとともに前記中央部分（２２）に圧入されたガラス（２１）上に位置するように配置され、前記ガラス（２１）に十分な推力を掛けて前記ベルチャック（１５）を前記ガラス（２１）に対して相対的にずらすように構成された推力手段（３０）を備えることを特徴とする、
工具システム。
【請求項２】
前記ベルチャック（１５）用の前記拡張縮小機構（１７）が、その内形（２Ａ）を介してベル（２）を前記ベルチャック（１５）の周面（１５３）と協働させて長手方向に操作して前記ベルチャック（１５）を開放、閉鎖するための手段（１８）を備える、ことを特徴とする請求項１に記載の工具システム（１００）。
【請求項３】
前記保持体（１６）と一体の外向きインサート（７）の外ねじと、前記ベル（２）と一体の内向きインサート（８）の内ねじとの間の協働によって前記長手の操作手段（１８）が形成される、ことを特徴とする請求項２に記載の工具システム（１００）。
【請求項４】
前記保持体（１６）の外ねじと前記ベル（２）の内ねじとの間の協働によって前記長手の操作手段（１８）が形成される、ことを特徴とする請求項２に記載の工具システム（１００）。
【請求項５】
前記内形（２Ａ）は円錐形であり、前記ベルチャック（１５）と同じ円錐勾配を有する外周面（１５３）と協働するように配置される、ことを特徴とする請求項２から４のいずれかに記載の工具システム（１００）。
【請求項６】
前記推力手段（３０）は、支持部材（１４）を有し、前記支持部材は、前記ガラス（２１）を押圧するように配置されているとともに、中央に向かう凹部を有し、前記ガラス（２０）の大径の円上に位置して前記推力を最適に分配する、ことを特徴とする前記請求項のいずれかに記載の工具システム（１００）。
【請求項７】
前記保持体（１６）は、アーバ（３）のねじ部と協働する内ねじ（１Ｂ）を備え、第一の端部には、前記支持部材（１４）が取り付けられていると共に、前記アーバ（３）の第２の端部には、前記ガラス（２１）に推量をかけるための操作ハンドル（４）を設ける、ことを特徴とする請求項１〜６のいずれかに記載の工具システム（１００）。
【請求項８】
前記支持部材（１４）は、前記ガラス（２１）の形状または寸法に適合するように交換可能であり、特にピン、ねじ、あるいは類似した要素によって前記推力手段（３０）の前記アーバ（３）の端部に固定可能であることを特徴とする請求項６または７に記載の工具システム（１００）。
【請求項９】
少なくとも一つのベルチャック（１５）によっておよび請求項１〜８のいずれかに記載の工具システム（１００）によって形成された装置であって、前記ベルチャック（１５）は、
軸（１５８）に対して同軸である頭部（１５６）と脚部（１５７）とを有し、前記頭部（１５６）は、前記軸（１５８）に垂直な前側支持面（１５１）と前記ベゼル（２０）の周囲に位置するように配置された横方向保持面（１５９）を有する筐体（１５０）内にベゼル（２０）を受容するように配置または工夫されており、
前記ベルチャック（１５）は、前記頭部（１５６）を前記頭部（１５６）の外周面（１５３）上の前記ベル（２）の内形（２Ａ）から掛かる力によって半径方向に拡張または縮小させることができる一本または数本のスロット（１５２）を有し、
前記周面（１５３）は、その半径が前記軸（１５８）に沿って先に向かうにつれ大きくなるテーパ形状を有し、
前記ベルチャック（１５）が、さらに、前端（１５０Ａ）の前記筐体（１５０）の近傍の同一平面上にリップ（１５０Ｂ）が、中央部分（２２）から前記ベゼル（２０）を分離させるように配置されている、
ことを特徴とする装置。
【請求項１０】
前記リップ（１５０Ｂ）が前記軸（１５８）の側部に向けて尖っており、同心であることを特徴とする請求項９に記載の装置。
【請求項１１】
前記ベルチャック（１５）は、精密腕時計モデル用に工夫されており、前記筐体（１５０）の寸法は、前記ベゼル（２０）が前記支持面（１５１）上に前面支持されるとともに、前記リップ（１５０Ｂ）が前記ベゼル（２０）と前記腕時計の前記中央部分（２２）との間の結合部に対向して正確に位置することを可能にすることを特徴とする請求項９または１０に記載の装置。
【請求項１２】
前記ベルチャック（１５）は交換可能であり、前記脚部（１５７）は、保持体（１６）に含まれる相補形状の誘導手段（１Ａ）と協働するように配置された誘導手段（１５４）を含み、前記脚部（１５７）は、さらに、前記保持体（１６）に含まれる相補形状のストッパ手段と協働するように配置されたストッパ手段（１５５）を備え、前記ベルチャック（１５）を前記保持体（１６）に対して軸方向に移動不可能とする、ことを特徴とする請求項９から１１のいずれかに記載の工具によって形成された装置。
【請求項１３】
前記相補形状のストッパ手段は、前記保持体（１６）内の筐体内を略半径方向に移動可能であり、前記保持体（１６）上の旋回軸（１１Ａ）上で結合した旋回部品（６）を介して操作可能であるとともに前記保持体（１６）内の筐体（６Ａ）内で移動可能なピン（１１）によって形成されており、前記ピン（１１）は、前記旋回部品（６）に作用するスプリング（１３）によって後退位置に戻ることを特徴とする請求項１２に記載の装置。
【請求項１４】
工具システム用ベルチャック（１５）であって、
軸（１５８）に対して同軸である頭部（１５６）と脚部（１５７）とを有し、前記頭部（１５６）は、前記軸（１５８）に垂直な前側支持面（１５１）と前記ベゼル（２０）の周囲に位置するように配置された横方向保持面（１５９）を有する筐体（１５０）内にベゼル（２０）を受容するように配置または工夫されており、
前記ベルチャック（１５）は、前記頭部（１５６）を前記頭部（１５６）の外周面（１５３）上の前記ベル（２）の内形（２Ａ）から掛かる力によって半径方向に拡張または縮小させることができる一本または数本のスロット（１５２）を有し、
前記周面（１５３）は、その半径が前記軸（１５８）に沿って先に向かうにつれ大きくなるテーパ形状を有し、
前記ベルチャック（１５）が、さらに、前端（１５０Ａ）の前記筐体（１５０）の近傍の同一平面上にリップ（１５０Ｂ）が、中央部分（２２）から前記ベゼル（２０）を分離させるように配置されている、
ことを特徴とする工具システム用ベルチャック（１５）。
【発明の詳細な説明】
【技術分野】
【０００１】
本発明は、腕時計のベゼルを取り外すための工具システムに関し、さらに詳しくは、保持体が腕時計の中央部分に取り付けたベゼルの周囲に位置するように配置されたベルチャック用の拡張縮小機構を支持する役目を果たし、前記機構と協働して前記ベルチャックを操作するように前記保持体が配置された工具システムに関する。
【０００２】
本発明は、腕時計製造工具セットの分野に関し、特に、腕時計を分解するため、特に、ベゼルを取り外すための工具セットの分野に関する。
【背景技術】
【０００３】
ベゼルと中央部分を取り外す作業は、常に繊細な作業であり、これら二つの部品を損傷しないための経験をつんだノウハウが必要である。
【０００４】
この繊細な作業を行うための工具セットはほとんど存在しない。工具セットは、ロレックス社の名で取得したスイス特許第６０９５２４号で知られており、分離させるこの二つの部品の間に同時に挿入する２本のナイフを含む。しかし、この工具システムは、ナイフが鋭利なのでベゼルに跡がつく可能性があるため、切り離したあとに部品が完全に無傷であるという保証はない。特に、ピケレ社エルヴァンの名で取得した英国特許第１１０２４３２号で示すように特にガラスを取り外すためのハブ引っ張り型の他の工具セットも知られているが、周囲の支持体が部品の側面に跡をつける可能性があり、さらに、取り扱いが不適切だと、特に、使用者は気付かないが、ベゼルが中心から外れていると、それらをひどく損傷する可能性がある。市販の装置の中には、らせん状の切断支持部材が押圧する楔を一般的に二つ、または三つ有するものがある。推力がかかる間、支持部材は、一方もしくは他方の楔を交互に押圧し、その推力には、当然半径方向および軸方向への成分が含まれる。この傾いた推力固有のリスクは、ベゼルが横方向に押し出されて損傷するということである。
【０００５】
これらの市販の工具セットは、一般的にスチール製であり、同心グリップを有する３ジョーマンドレルに類似して製造される、高価な精密機械装置である。特殊なジョーセットは、ベゼルの寸法に応じて使用する必要があり、購入価格が高いだけでなく、ジョーを交換するのに時間がかかるため、作業コストも高い。
【先行技術文献】
【特許文献】
【０００６】
【特許文献１】スイス特許第６０９  ５２４号
【特許文献２】英国特許第１  １０２  ４３２号
【発明の概要】
【発明が解決しようとする課題】
【０００７】
本発明は、通常、腕時計のアフターサービスおよび修理の担当者である使用者が、汎用性があり、特に、取り扱う部品を完全に無傷のままに保持できる、確実にベゼルを軸方向に完璧に取り外すことが可能なベゼルを取り外すための工具システムを利用可能とすることを提案する。所望の工具システムは、安価であり、迅速に、そして簡単に使用できなければならない。
【課題を解決するための手段】
【０００８】
よって、本発明は、腕時計の中央部分に取り付けたベゼルの周囲に位置するように配置されたベルチャックを操作するための拡張縮小機構と協働するように配置された保持体を備え、前記ベルチャック内に同軸に取り付けるとともに前記中央部分に圧入された時計ガラス上に位置するように配置され、前記ガラスに十分な推力を掛けて前記ベルチャックを前記ガラスに対して相対的にずらすように構成された推力手段を備えたことを特徴とする腕時計のベゼルを取り外すための工具システムに関する。
【０００９】
本発明は、さらに、本発明による工具システムで使用するように配置されたベルチャックに関する。
【００１０】
本発明は、さらに、本発明による工具システムとこの種のベルチャックによって形成された装置に関する。
【００１１】
本発明は、下記に示す、添付の図面に基づいた説明により、より明らかとなろう。
【図面の簡単な説明】
【００１２】
【図１】本発明の第１の実施形態による工具システムの長手方向の略断面図である。
【図２】図１に示す工具システムの略立面図である。
【図３】本発明の別の実施形態による工具システムの長手方向の略断面図である。
【図４】本発明による工具システムに使用されるように配置されたベルチャックの略斜視図である。
【図５】ベルチャックのリップの詳細を示す長手方向の略断面図である。
【図６】本発明によるベルチャックのリップの外形の一例を示す図である。
【図７】本発明によるベルチャックのリップの外形の一例を示す図である。
【図８】本発明によるベルチャックのリップの外形の一例を示す図である。
【図９】本発明によるベルチャックのリップの外形の一例を示す図である。
【図１０】本発明によるベルチャックのリップの外形の一例を示す図である。
【図１１】本発明によるベルチャックのリップの外形の一例を示す図である。
【図１２】本発明によるベルチャックのリップの外形の一例を示す図である。
【図１３】図８に示すリップを有するベルチャックインサートの前面図である。
【図１４】図１３のインサートの長手方向の断面図である。
【発明を実施するための形態】
【００１３】
本発明は、腕時計製造工具セットの分野に関し、特に、腕時計を分解するため、特に、ベゼルを取り外すための工具セットの分野に関する。
【００１４】
本発明は、腕時計のベゼルを取り外すための工具システム１００に関する。
【００１５】
このベゼル２０は、従来の方法により、腕時計２３の中央部分２２に一般的に圧入することによって取り付けられる。この腕時計２３は、さらに、中央部分２２に圧入されるガラス２１を有する。
【００１６】
工具システム１００は、保持体１６を備え、保持体１６は、ベゼル２０の周囲に位置するように配置された、ベルチャック１５の拡張縮小機構１７を支持する役目を果たす。
【００１７】
本発明は、また、本発明による工具システムで使用するように配置されたベルチャック１５に関する
【００１８】
このベルチャック１５は、図４に示すように、好ましくは軸１５８と同軸をなす頭部１５６と脚部１５７を備える。頭部１５６は、軸１５８に垂直な前側支持面１５１と、ベゼル２０の周囲に位置するように配置された横方向保持面１５９とを有する凹部１５０内にベゼル２０を受容するように配置されている。この横方向保持面１５９は、可変形状を有している。ベルチャック１５は、スプリットコレットタイプであり、前記頭部１５６の外周面１５３にかかる作動力によって頭部１５６の半径方向の拡張縮小を可能とする一本もしくは数本のスロット１５２を有する。この周面１５３は、好ましくは円錐形であるが、半径が軸１５８に沿って進むに連れて大きくなるような、異なったテーパ形状の外形を採択しても良い。
【００１９】
図５に示すように、ベルチャック１５は、その前端１５０Ａの筐体１５０にリップ１５０Ｂを有しており、リップ１５０Ｂは、ベルチャック１５の外側の円錐形状が伸びる方向の回転軸に対して回転対称であり、操作位置で内部にベルチャックが挿入されたベル２の内部の円錐形状２Ａと協働するように配置される。リップ１５０Ｂの自由端の縁部１５０Ｄは、共に同一平面上にあり、ベゼル２０を中央部２２から離すように配置されているのが好ましい。これらのリップ１５０Ｂは軸１５８に向かって尖っており、その断面は、好ましくは、例えば、前端１５０Ａと先細面１５０Ｃの間の角度が４０°の略三角形である。これらのリップ１５０Ｂの半径方向の延びは、０．５ｍｍ程度であり、尖った端部を形成する縁部１５０Ｄの最小断面は、数百ミリメートル程度、例えば、６百ミリメートルである。異なる縁部１５０Ｄは、少なくとも２つあり、それらは、同心である。
【００２０】
周面１５３に応力がかからなければ、１本以上のスロット１５２は完全に開放され、よって、頭部１５６は、周囲保持面１５９と同じようにその最大空間要件を有することは明らかである。そして、組み立てた状態の工具システム１００では、ベゼル２０と腕時計の中央部分２２の間の結合部で挿入するため、前記ベゼルを支持面１５１および／または位置決め縁部１５０Ｄに前側で当接させて保持しながらベゼル２０を覆うことができる。ベルチャック１５が特定の腕時計モデル用に設計されている場合、筐体１５０の寸法設定により、ベゼルを前面支持で支持面１５１とリップ１５０Ｂ上に保持することができるとともに、特に、縁部１５０Ｄをベゼル２０と腕時計の中央部分２２の間の結合部分に対向して正確に位置させることができる。
【００２１】
そして、使用者は、周方向の力を周面１５３に対して掛けてスロット１５２を閉じる。縁部１５０Ｄによってもたらされたその支持状態は、軸１５８に対して同心を保ち、それらは精密であるので、縁部１５０Ｄが確実に円形となるようにしながらリップ１５０Ｂがわずかに変形する。これにより、ベゼル２０と中央部分２２が損傷するのを防ぐと共に、前記二つの要素の間の縁部１５０Ｄを、包囲する楔のように係合する。スロット１５２を閉じることにより、頭部１５６によって形成されたジョーが、周囲保持面１５９にグリップが得られるまでベゼル２０の周りを閉じるようになる。そして、ベゼル２０は、軸方向および半径方向に完全に保持され、中央部分２２に対して、永久にそこから取り外す目的で処理することができるようになる。
【００２２】
ベルチャック１５の脚部１５７は、工具システム１００の内部を誘導する手段１５４を含み、より詳しくは、その手段１５４は、保持体１６を形成するもしくはその内部に一体化された基部１に含まれる相補形状の誘導手段１Ａと協働するように配置される。好ましくは、この誘導手段１５４は、円筒形であり、相補手段１Ａは、孔によって形成される。この脚部１５７は、ベルチャック１５が前記基部に対して軸方向に動かないように防ぐために、保持体１６または基部１に含まれる相補形状のストッパ手段と協働するように配置されたストッパ手段１５５をさらに有する。
【００２３】
また別の実施形態では、図１３および１４に示すように、リップ１５０Ｂがベルチャック１５の本体内または本体上に取り付けた一つまたは数個のインサート１５０Ｘである。これらのインサートは、引っかかって動かなくならないように、真鍮、又はそれに類似した材料を、金の中央部分に跡がつかないようなものから選択して形成するのが有利である。この種のインサートは、環状のサークリップの形態、または、特に、図１３および１４に示すようなねじによってリングの分弧部１５０Ｘの形態でベルチャックに固定するように工夫することができる。
【００２４】
スロット１５２の数とその配分は、ベゼルを中央部分から分離させたときにかかる力を最も良く分散させられるように選択する。ホーンの軸と、中央を通り前記軸に垂直な軸の両方に対して対称な４本のスロットにより、最も良い結果が得られる。インサート１５０Ｘによっては、ホーンが貫通する凹部１５０Ｙを有しているものもある。
【００２５】
それぞれのタイプのベゼル２０は、特殊な寸法のベルチャック１５を使用する可能性があることは明らかである。実際、チャックを正確に同心で把持でき、取り扱う際にベゼル２０が一体化しているようにするため、把持範囲は十分に制限しなければならない。さもないと、遊びや、偏心現象が起き、所望の結果が得られないからである。従って、ベルチャック１５は交換可能である。
【００２６】
ベルチャック１５は、デルリン（登録商標）もしくはそれに類似したプラスチック材で形成すると有利である。
【００２７】
図６から１２は、本発明によるベルチャックのリップ外形の各種の例を示している。これらは、意図する腕時計のタイプによって異なる。これらの図には下記が含まれる。
・リップ１５０Ｂの縁部１５０Ｄの幅Ｌ
・前面Ｐを有するリップ１５０Ｂの第１の面によって形成された凹角β
・同じ前面Ｐを有する縁部１５０Ｄによって第１の面から分離したリップ１５０Ｂの第２の面によって形成された角度α
・必須ではないが好ましくはベルチャック１５の軸１５８に平行な、縁部１５０Ｄに対応する直径Ｄ１
・第２の面の後の拡径した底部の直径Ｄ２
・この直径Ｄ２における拡径した半径Ｒ１
・半径Ｒ１の後の、ベルチャック１５の内形によって形成される半径Ｒ２、または
・この凹部の後のベルチャック１５の内形によって形成された角度γ。
【００２８】
対応する数値（単位：ミリメートルおよび度）は、下記の通りである。
・図６：Ｄ１＝２７；Ｄ２＝２９．３；Ｌ＝０．１；α＝３；β＝１１；Ｒ１＝０．５；Ｒ２＝６；
・図７：Ｄ１＝２４；Ｄ２＝２６．３；Ｌ＝０．１；α＝４；β＝４；Ｒ１＝０．５；Ｒ２＝６．２；
・図８：Ｄ１＝３４．８；Ｄ２＝３７．１；Ｌ＝０．１；α＝８；β＝４；Ｒ１＝０．５；Ｒ２＝１３；
・図９：Ｄ１＝４３．５；Ｄ２＝４５．５；Ｌ＝１；α＝１５；β＝０；γ＝１５；
・図１０：Ｄ１＝３７．８；Ｄ２＝４０．１；Ｌ＝０．１；α＝４；β＝４；Ｒ１＝０．５；Ｒ２＝１３．５；
・図１１：Ｄ１＝４１．５；Ｄ２＝４３．９；Ｌ＝０．７５；α＝４５；β＝０；Ｒ１＝０．４；Ｒ２＝０．４；γ＝０；
・図１２：Ｄ１＝４０．８；Ｄ２＝４３．１；Ｌ＝０．１；α＝８；β＝４；Ｒ１＝０．５；Ｒ２＝１０。
【００２９】
これらの値は、本発明を限定するものではなく、その割合は、共通利用における非常に多くの場合により変わるものである。
【００３０】
また、好ましい形態では、保持体１６または基部１の相補形状のストッパ手段は、取り外すベゼルのタイプにより、ベルチャック１５を別のベルチャックに交換することができるように可動である。図１の例では、相補形状のストッパ手段は、保持体１６または基部１内の筐体内で略半径方向に移動可能なピン１１によって形成されている。有利なことには、これらのピン１１は保持体１６または基部１上の旋回軸１１Ａに結合した旋回部品６を介して操作可能であり、保持体１６または基部１のハウジング６Ａ内において操作可能であり、これらのピン１１は、旋回要素６上に作用するスプリング１３によって後退位置に戻されるように構成されている。図３の例では、基部１の相補形状のストッパ手段は、基部１のハウジング内において、半径方向のねじ１１Ａによって形成される。
【００３１】
図１の主題を構成する実施形態では、保持体１６は、基部１と外向きインサート７から形成されていてもよい。また、図２の主題を形成する別の実施形態では、単一の基部１でもよい。これらの実施形態は、本発明を限定することのない単なる一例に過ぎない。
【００３２】
ベルチャック１５の拡張縮小機構１７は、ベル２用の長手の操作手段１８を含む。このベル２は、その内形２Ａを介してベルチャック１５の周面１５３と協働し、ベルチャック１５を開放、閉鎖する。好ましくは、ベルチャック１５の周面１５３が円錐形状である場合、この内形２Ａも同じ円錐勾配を有する円錐形状である。長手方向に移動するため、ベル２はベルチャック１５に対してほぼ強い圧力を掛けることになる。好ましくは、内外のねじ山、特に図１の場合には、保持体１６または基部１と一体の外向きインサート７の外ねじと、ベル２と一体の内向きインサート８の内ねじの間の協働によって長手の操作手段１８が形成される。図３の他方の実施形態では、外ねじが基部１上に形成され、ベル２には、内ねじが形成されている。ベル２を保持体１６に対して回転させることにより、ベルチャック１５のグリップに制御された変化をもたらすことができる。ねじ山ピッチが小さいほど、この変化は微小になる。ベル２は、アルミニウム合金またはそれに類する材料から形成するのが有利である。
【００３３】
使用者は、ベゼル２０が損傷を受けることなく適切に保持され、前側支持面１５１により、工具システム１００の幾何学的形状がベゼル２０に対向して適切に、軸１５８がベゼル２０と中央部分２２の間の結合部の面に正確に垂直になるようにセットされたことがわかるようになる。
【００３４】
本発明によると、工具システム１００は、ベルチャック１５内部に同軸に取り付けた推力手段３０を備え、前記推力手段３０は中央部分２２に圧入されたガラス２１上を押圧し、前記ガラス２１に十分な推力をかけて、ベゼル２０を前記ガラス２１に対して保持し、把持する位置に前もって戴置されていたベルチャック１５を相対変位させるように配置されている。
【００３５】
好ましくは、この推力手段３０は、ガラス２１上に戴置されるように配置された支持部材１４を有する。この支持部材１４は、その中央に向かって凹んだ領域を有し、ガラスの丸天井上に位置せず、径の大きい円上に位置して、推力を最適に分散する。好ましくは、保持体１６および、特に基部１は、内ねじ１Ｂを有し、前記内ねじ１Ｂは、第１の端部に支持部材１４が取り付けられたアーバ３のねじ部と協働する。このアーバ３は、図１および３に示すようなねじ山付きステムであるのが有利である。このアーバ３の第２の端部には、操作ハンドル４が設けられており、推力をガラス２１に掛けるとともに、回転させてセットする際、支持部材１４を並進運動させる。ねじ山が小さければ小さいほど、並進運動は微小となる。当然のことながら、支持部材１４は、クリタル２１の形状または寸法に適合するように交換可能であり、特に、ピン、ねじ、あるいは類似した要素によってアーバ３の端部に固定することができる。
【００３６】
こうして形成された工具システム１００は、下記のように操作を順に行っていくものであるため、実施が容易であり、組み合わせた動作を必要としない。まず、支持位置に戴置し、次にベル２を基部１に対してねじ込むまたは緩めることによってベゼル２０をベルチャック１５に把持させる。そして、ハンドル４を回転させることによって支持部材１４をガラス２１上に位置するように戴置し、このハンドル４を継続して回転させることによってガラス２１上に推力をかける。
【００３７】
この工具システムは、非常に正確に操作でき、また、腕時計とその部品を大切に取り扱うことができる。
【００３８】
この工具システムは、適度な価格であり、小型であり、修理の必要性またはアフターサービスに完璧に対応できる。
【００３９】
本発明は、また、本発明による工具システムによって形成された装置と、この種のベルチャックに関する。
【００４０】
要するに、本発明は、分解中に腕時計の中央部分とベゼルを保護し、ガラスを容易に取り外すことができるように工夫された精密な工具システムを提供する。軽量合金またはプラスチック部品を選択しているため、この工具システムは、軽量であり、取り扱いが容易である。価格が非常に安価であり、それぞれ非常に低価格なベルチャックの組み合わせにより、調整を必要とせず、ベルチャックの他のベルチャックとの交換を非常に簡単かつ迅速に行うことができる。
【符号の説明】
【００４１】
１５…ベルチャック、１６…保持体、１７…拡張縮小機構、２０…ベゼル、２１…ガラス、２２…腕時計の中央部分、２３…腕時計、３０…推力手段、１００…工具システム
【図１】
2011237436.tif 000003
【図２】
2011237436.tif 000004
【図３】
2011237436.tif 000005
【図４】
2011237436.tif 000006
【図５】
2011237436.tif 000007
【図６】
2011237436.tif 000008
【図７】
2011237436.tif 000009
【図８】
2011237436.tif 000010
【図９】
2011237436.tif 000011
【図１０】
2011237436.tif 000012
【図１１】
2011237436.tif 000013
【図１２】
2011237436.tif 000014
【図１３】
2011237436.tif 000015
【図１４】
2011237436.tif 000016
【外国語明細書】
2011237436000001.pdf